(57)【要約】【課題】ＩＳＭバンドを使用する無線ＬＡＮや各種ＩＳＭ機器が電話システムの内線電話機をなすブルートゥース無線電話機と併用される場合でも、ＩＳＭバンドでの無線通信環境を良好に保つ。【解決手段】電話制御装置１で、各無線電話機４での無線データ通信に用いる各チャネルの使用可否を示すシステム共通チャネル情報１４Ｂや電話機別チャネル情報１４Ｃを記憶部１４に記憶しておき、これらチャネル情報から生成した新たな通信条件を当該無線電話機４へ通知して設定する。システム共通チャネル情報１４Ｂや電話機別チャネル情報１４Ｃを合成して新たな通信条件を生成する。【選択図】  図１
2007096444.tif 000002
【特許請求の範囲】
【請求項１】
ブルートゥース(登録商標）無線通信方式を用いたデータ通信機能を有する無線電話機を含む複数の内線電話機と、これら内線電話機を接続するとともに通話回線を収容する電話制御装置とを有し、前記電話制御装置により、前記内線電話機と前記通話回線とを制御して任意に交換接続することにより当該通話回線を用いた当該内線電話機による通話を実現する電話システムであって、
前記無線電話機は、搬送波周波数の異なる複数のチャネルのうちから任意の通信条件に基づき順次選択したチャネルを用いて無線データ通信を行う通信制御手段と、前記電話制御装置から通知された通信条件を前記無線データ通信の通信条件として前記通信制御手段に指定する通信条件指示手段とを有し、
前記電話制御装置は、前記無線電話機での無線データ通信に用いる各チャネルの使用可否を示すチャネル情報を記憶する記憶部と、前記記憶部のチャネル情報から生成した新たな通信条件を前記無線電話機へ通知する通信条件通知手段とを有する
ことを特徴とする電話システム。
【請求項２】
請求項１に記載の電話システムにおいて、
前記チャネル情報は、すべての前記無線電話機に対して共通に適用されるシステム共通チャネル情報と、前記無線電話機ごとに個別に適用される電話機別チャネル情報とからなり、
前記通信条件通知手段は、任意の前記無線電話機へ通知する新たな通信条件を生成する際、前記記憶部のシステム共通チャネル情報と当該無線電話機の電話機別チャネル情報とを合成して新たな通信条件を生成する
ことを特徴とする電話システム。
【請求項３】
請求項２に記載の電話システムにおいて、
前記通信条件通知手段は、前記通信条件を生成する際、前記システム共通チャネル情報と前記電話機別チャネル情報のうち少なくともいずれか一方で任意のチャネルが使用不可と設定されている場合は当該チャネルを使用不可と判断する
ことを特徴とする電話システム。
【請求項４】
請求項１に記載の電話システムにおいて、
前記チャネル情報は、すべての前記無線電話機に対して共通に適用されるシステム共通チャネル情報からなることを特徴とする電話システム。
【請求項５】
請求項１に記載の電話システムにおいて、
前記チャネル情報は、前記無線電話機ごとに個別に適用される電話機別チャネル情報からなることを特徴とする電話システム。
【請求項６】
ブルートゥース(登録商標）無線通信方式を用いたデータ通信機能により搬送波周波数の異なる複数のチャネルのうちから任意の通信条件に基づき順次選択したチャネルを用いて無線データ通信を行う無線電話機を含む複数の内線電話機と、これら内線電話機を接続するとともに通話回線を収容する電話制御装置とを有する電話システムで用いられ、前記内線電話機と前記通話回線とを制御して任意に交換接続することにより当該通話回線を用いた当該内線電話機による通話を実現する電話制御装置であって、
前記無線電話機での無線データ通信に用いる各チャネルの使用可否を示すチャネル情報を記憶する記憶部と、
前記記憶部のチャネル情報から生成した通信条件を前記無線電話機へ通知する通信条件通知手段と
を備えることを特徴とする電話制御装置。
【請求項７】
ブルートゥース(登録商標）無線通信方式を用いたデータ通信機能により搬送波周波数の異なる複数のチャネルのうちから任意の通信条件に基づき順次選択したチャネルを用いて無線データ通信を行う無線電話機を含む複数の内線電話機と、これら内線電話機を接続するとともに通話回線を収容する電話制御装置とを有する電話システムで用いられ、前記内線電話機と前記通話回線とを制御して任意に交換接続することにより当該通話回線を用いた当該内線電話機による通話を実現する電話制御装置のコンピュータに、
前記無線電話機での無線データ通信に用いる各チャネルの使用可否を示すチャネル情報を記憶部で記憶するステップと、
前記記憶部のチャネル情報から生成した通信条件を前記無線電話機へ通知する通信条件通知ステップと
を実行させるプログラム。
【発明の詳細な説明】
【技術分野】
【０００１】
本発明は、電話機制御技術に関し、特にブルートゥース(登録商標:Bluetooth)無線通信方式を用いた無線電話機を含む複数の電話機により通話回線を共用する電話システムで、これら無線電話機で用いる無線チャネルを管理するチャネル管理技術に関する。
【背景技術】
【０００２】
複数の内線電話機により通話回線（外線）を共用するボタン電話装置などの電話システムでは、内線電話機としてブルートゥース無線通信方式を用いたブルートゥース無線電話機を収容する電話システムがある。
例えば、有線伝送路を介して電話制御装置に接続された無線親機とハンドセット型の無線子機とからなるカールコードレス電話機では、無線親機と無線子機との間でやり取りする音声データや制御データをブルートゥース無線通信方式で送受信する構成をとっており、無線親機からある程度離れた場所でも無線子機により通話できる。
【０００３】
このような、汎用無線インターフェースであるブルートゥース無線通信方式では、変調方式として周波数ホッピング・スペクトラム拡散（FHSS:Frequency Hopping Spread Spectrum）変調方式が用いられている（非特許文献１など参照）。周波数ホッピング・スペクトラム拡散変調方式は、一定時間ごとに搬送波周波数（中心周波数）を変えてすなわち周波数ホッピングして伝送する方式である。
一般に、任意の帯域幅の電力は周波数ホッピングする周期に対して十分長い時間で平均すると低くなるので他のシステムの通信を妨害しにくく、また特定の周波数に妨害波が存在してもすぐ別の周波数にホッピングするので他のシステムからの干渉に強いといわれている。
【０００４】
ブルートゥース無線通信方式では、２．４ＧＨｚ帯に１ＭＨｚ間隔で７９個または２３個のチャネルを設け、通信開始時にマスタ側とスレーブ側との間で設定したチャネル選択順に基づき、１６００回／秒という速度で周波数ホッピングを繰り返し、その際、選択したチャネルを用いて相手無線装置と所望のパケットを送受信することにより、データ通信を行うものとなっている。
【０００５】
従来より、このような周波数ホッピング技術として、他の機器から送信されている電波により任意のチャネルでパケット送受信エラーが発生した場合、そのチャネルを使用不可とするアダプティブ周波数ホッピング（以下、ＡＦＨという：Adaptive Frequency Hopping）技術が使用されている（例えば、非特許文献２など参照／ブルートゥース 1.2）。
このアダプティブ周波数ホッピング技術によれば、使用不可と判断されたチャネルはチャネル選択順から除外されるため、そのチャネルに対してそれ以降周波数ホッピングが行われなくなり、当該チャネルの搬送波周波数における他の装置との電波の相互干渉や、同種の無線通信装置との当該チャネルにおけるパケット送受信の衝突による無線通信の途切れを低減できる。
【０００６】
一方、ブルートゥース無線通信方式と同様に、産業科学医療用に用意されたＩＳＭ（Industrial Scientific Medical）バンドの周波数を用いて無線通信を行う汎用無線インターフェースとして、各種のスペクトラム拡散変調方式を用いる無線ＬＡＮ通信方式がある（非特許文献３など参照）。
例えば、無線ＬＡＮ通信方式のIEEE 802.11gでは、２．４ＧＨｚ帯に５ＭＨｚ間隔で１３個のチャネルを設け、ＣＳＭＡ／ＣＡ（Carrier Sense Multiple Access with Collision Avoidance）方式により無線通信を行う。
【０００７】
ＣＳＭＡ／ＣＡ方式では、まず、使用するチャネルからデータを送信する前に、他無線通信装置が当該チャネルでデータ送信をしていないかを調べ(Carrier Sense)、さらに自分宛のデータが送信されてきていないかを調べる(Sense Multiple Access)。その結果、衝突の心配がないと判断したらデータを送信し、他に通信中の無線通信装置があった場合には送信待機(Collision Avoidance)となる。送信待機では、ランダムに割り当てられた時間を待ってから再度上記手順を繰り返す。また、全く同時に２つの無線通信装置が送信を始めて衝突した場合は、エラー回復ができないため上位層レベルで再送が行われる。
【０００８】
【非特許文献１】http://www.bluetooth.org/spec/
【非特許文献２】http://www.ericsson.com/bluetooth/files/whitepaper_on_afh_final.pdf
【非特許文献３】http://grouper.ieee.org/groups/802/11/
【発明の開示】
【発明が解決しようとする課題】
【０００９】
しかしながら、このような従来技術では、ＩＳＭバンドを使用する無線ＬＡＮ通信装置や各種機器とブルートゥース無線電話機との間で電波干渉が発生した場合、ブルートゥース無線電話機と併用される無線ＬＡＮ通信装置などＩＳＭバンドを用いる他の無線通信装置の無線通信環境、あるいはブルートゥース無線電話機自体の無線通信環境を良好に保つことができないという問題点があった。
【００１０】
例えば、ブルートゥース無線通信方式のＡＦＨでは、無線ＬＡＮ通信方式のようなキャリアセンス動作は行わず、選択したチャネルでパケット送受信を行い、その通信エラーの有無に応じて当該チャネルの使用可否を判断している。このため、無線ＬＡＮ通信装置の通信エリア内でブルートゥース無線電話機を併用する場合、信号送受信のタイミングによってはブルートゥース無線電話機がチャネルを優先的に確保してしまい、無線ＬＡＮ通信装置で対応する周波数のチャネルを確保できなくなり、無線ＬＡＮ通信装置の無線通信環境が悪化する場合がある。
【００１１】
また、電子レンジや医療用メス等のマイクロ波電子機器やアマチュア無線装置など、ＩＳＭバンドを使用するＩＳＭ機器が周辺にある場合、ブルートゥース無線通信方式では、ＡＦＨにより、これらＩＳＭ機器で用いる周波数のチャネルでの通信エラー発生に応じて、当該チャネルを使用不可とする回避動作が行われる。しかし、その回避動作において例えば統計処理などの処理時間を要する場合、一時的ではあるが通信品質が低下してブルートゥース無線電話機自体の無線通信環境が悪化する。
【００１２】
本発明はこのような課題を解決するためのものであり、ＩＳＭバンドを使用する無線ＬＡＮや各種ＩＳＭ機器が電話システムの内線電話機をなすブルートゥース無線電話機と併用される場合でも、ＩＳＭバンドでの無線通信環境を良好に保つことができる電話システム、電話制御装置、およびプログラムを提供することを目的としている。
【課題を解決するための手段】
【００１３】
このような目的を達成するために、本発明にかかる電話システムは、ブルートゥース(登録商標）無線通信方式を用いたデータ通信機能を有する無線電話機を含む複数の内線電話機と、これら内線電話機を接続するとともに通話回線を収容する電話制御装置とを有し、電話制御装置により、内線電話機と通話回線とを制御して任意に交換接続することにより当該通話回線を用いた当該内線電話機による通話を実現する電話システムであって、無線電話機に、搬送波周波数の異なる複数のチャネルのうちから任意の通信条件に基づき順次選択したチャネルを用いて無線データ通信を行う通信制御手段と、電話制御装置から通知された通信条件を無線データ通信の通信条件として通信制御手段に指定する通信条件指示手段とを有し、電話制御装置に、無線電話機での無線データ通信に用いる各チャネルの使用可否を示すチャネル情報を記憶する記憶部と、記憶部のチャネル情報から生成した新たな通信条件を無線電話機へ通知する通信条件通知手段とを有している。
【００１４】
この際、チャネル情報として、すべての無線電話機に対して共通に適用されるシステム共通チャネル情報と、無線電話機ごとに個別に適用される電話機別チャネル情報とを用い、通信条件通知手段で、任意の無線電話機へ通知する新たな通信条件を生成する際、記憶部のシステム共通チャネル情報と当該無線電話機の電話機別チャネル情報とを合成して新たな通信条件を生成するようにしてもよい。
【００１５】
また、通信条件通知手段で、通信条件を生成する際、システム共通チャネル情報と電話機別チャネル情報のうち少なくともいずれか一方で任意のチャネルが使用不可と設定されている場合は当該チャネルを使用不可と判断するようにしてもよい。
【００１６】
また、チャネル情報として、すべての無線電話機に対して共通に適用されるシステム共通チャネル情報を用いてもよく、無線電話機ごとに個別に適用される電話機別チャネル情報を用いてもよい。
【００１７】
また、本発明にかかる電話制御装置は、ブルートゥース(登録商標）無線通信方式を用いたデータ通信機能により搬送波周波数の異なる複数のチャネルのうちから任意の通信条件に基づき順次選択したチャネルを用いて無線データ通信を行う無線電話機を含む複数の内線電話機と、これら内線電話機を接続するとともに通話回線を収容する電話制御装置とを有する電話システムで用いられ、内線電話機と通話回線とを制御して任意に交換接続することにより当該通話回線を用いた当該内線電話機による通話を実現する電話制御装置であって、無線電話機での無線データ通信に用いる各チャネルの使用可否を示すチャネル情報を記憶する記憶部と、記憶部のチャネル情報から生成した通信条件を無線電話機へ通知する通信条件通知手段とを備えている。
【００１８】
また、本発明にかかるプログラムは、ブルートゥース(登録商標）無線通信方式を用いたデータ通信機能により搬送波周波数の異なる複数のチャネルのうちから任意の通信条件に基づき順次選択したチャネルを用いて無線データ通信を行う無線電話機を含む複数の内線電話機と、これら内線電話機を接続するとともに通話回線を収容する電話制御装置とを有する電話システムで用いられ、内線電話機と通話回線とを制御して任意に交換接続することにより当該通話回線を用いた当該内線電話機による通話を実現する電話制御装置のコンピュータに、無線電話機での無線データ通信に用いる各チャネルの使用可否を示すチャネル情報を記憶部で記憶するステップと、記憶部のチャネル情報から生成した通信条件を無線電話機へ通知する通信条件通知ステップとを実行させる。
【発明の効果】
【００１９】
本発明によれば、電話制御装置において、無線電話機での無線データ通信に用いる各チャネルの使用可否を示すチャネル情報が記憶部で記憶されており、通信条件設定手段により、記憶部のチャネル情報から生成した通信条件が無線電話機へ通知されるため、無線電話機では、この通信条件に基づいて搬送波周波数の異なる複数のチャネルのうちから順次選択したチャネルを用いて無線データ通信が行われる。
したがって、ＩＳＭバンドを使用する無線ＬＡＮや各種ＩＳＭ機器が電話システムの内線電話機をなすブルートゥース無線電話機と併用される場合でも、ＩＳＭバンドでの無線通信環境を良好に保つことができる。
【発明を実施するための最良の形態】
【００２０】
次に、本発明の実施の形態について図面を参照して説明する。
［第１の実施の形態］
まず、図１を参照して、本発明の第１の実施の形態にかかる電話システムについて説明する。図１は、本発明の第１の実施の形態にかかる電話システムの構成を示すブロック図である。
この電話システムは、内線電話機として動作する複数の無線電話機４（４Ａ，４Ｂ，４Ｃ，…）と、これら無線電話機４を有線の内線伝送路５を介して接続するとともにアナログ電話回線、ＩＳＤＮ回線、あるいはＩＰ電話回線などからなる１つ以上の通話回線９を収容する電話制御装置１とから構成されている。
【００２１】
無線電話機４は、カールコードレス無線親機（以下、親機という）２とカールコードレス無線子機（以下、子機という）３とからなるカールコードレス無線電話機である。この無線電話機４は、呼制御機能を持つ親機２と通話機能を持つ子機３とがブルートゥース無線通信方式による無線伝送路を介して接続される電話機であり、親機２が内線伝送路５を介して電話制御装置１と接続されている。
【００２２】
本実施の形態では、無線電話機４で搬送波周波数の異なる複数のチャネルのうちから任意の通信条件に基づき順次選択したチャネルを用いて無線データ通信を行う際、電話制御装置１により、無線電話機４での無線電話機での無線データ通信に用いる各チャネルの使用可否を示すチャネル情報を記憶部で記憶しておき、このチャネル情報から生成した通信条件を無線電話機４へ通知するようにしたものである。
【００２３】
［電話制御装置］
次に、図１を参照して、本発明の第１の実施の形態にかかる電話システムの電話制御装置について詳細に説明する。ここでは、内線電話機のすべてが無線電話機４から構成されている場合を例として説明する。
【００２４】
この電話制御装置１は、例えばボタン電話装置の主装置に相当する通信制御装置であり、外線インターフェース部（以下、外線Ｉ／Ｆ部という）１０、内線インターフェース部（以下、内線Ｉ／Ｆ部という）１１、スイッチ１２、記憶部１４、および制御部１５が設けられている。
【００２５】
外線Ｉ／Ｆ部１０は、専用のインターフェース回路部からなり、通話回線（外線）９を終端制御する機能を有している。
内線Ｉ／Ｆ部１１は、専用のインターフェース回路部からなり、内線伝送路５を介して無線電話機４（４Ａ，４Ｂ，４Ｃ，…）とデータ伝送を行う機能を有している。
スイッチ１２は、専用のスイッチング回路部からなり、外線Ｉ／Ｆ部１０と内線Ｉ／Ｆ部１１との伝送路を交換接続する機能を有している。
【００２６】
記憶部１４は、メモリやハードディスクなどの記憶装置からなり、制御部１５での処理に用いる各種処理情報やプログラムを記憶する機能を有している。
主な処理情報としては、呼制御情報１４Ａ、システム共通チャネル情報１４Ｂ、および電話機別チャネル情報１４Ｃがある。
【００２７】
呼制御情報１４Ａは、電話システム全体の呼制御に用いる情報であり、通話回線９や各無線電話機４の状態が管理されている。
システム共通チャネル情報１４Ｂは、各無線電話機４での無線データ通信に関する通信条件として各チャネルの使用可否を示す情報であり、電話システムの全無線電話機４に共通して適用される。図３は、システム共通チャネル情報の構成例である。このシステム共通チャネル情報１４Ｂには、各無線電話機４での無線データ通信に用いる各チャネルのチャネル番号とその使用可否とが組として登録されている。
【００２８】
電話機別チャネル情報１４Ｃは、各無線電話機４での無線データ通信に関する通信条件として各チャネルの使用可否を示す情報であり、電話システムの各無線電話機４に個別に適用される。図４は、電話機別チャネル情報の構成例である。この電話機別チャネル情報１４Ｃには、無線電話機４を識別するための無線電話機ＩＤと当該無線電話機４での無線データ通信に用いる各チャネルのチャネル番号とその使用可否とが組として登録されている。
【００２９】
制御部１５は、ＣＰＵなどのマイクロプロセッサとその周辺回路を有し、記憶部１４のプログラムを読み込んで実行することにより、上記ハードウェアとプログラムとを協働させ各種機能手段を実現する機能を有している。
主な機能手段としては、呼制御手段１５Ａ、チャネル設定手段１５Ｂ、および通信条件通知手段１５Ｃがある。
【００３０】
呼制御手段１５Ａは、電話システム全体の呼制御を行う手段であり、記憶部１４の呼制御情報に基づき外線Ｉ／Ｆ部１０およびスイッチ１２を制御するとともに、内線Ｉ／Ｆ部１１および内線伝送路５を介して各無線電話機４と各種制御情報をやり取りすることにより、通信回線９を用いた無線電話機４による外線発着信動作や無線電話機４間の内線発着信動作を制御する機能を有している。
【００３１】
チャネル設定手段１５Ｂは、電話制御装置１に接続された内線電話機のいずれかからなる設定用電話機や電話制御装置１に接続された外部装置から、無線電話機４での無線データ通信に関する通信条件として、無線データ通信で用いる各チャネルの使用可否を受け付ける機能と、受け付けた内容に基づき記憶部１４のシステム共通チャネル情報１４Ｂや電話機別チャネル情報１４Ｃを更新する機能とを有している。
【００３２】
通信条件通知手段１５Ｃは、記憶部１４のシステム共通チャネル情報１４Ｂ、電話機別チャネル情報１４Ｃ、またはシステム共通チャネル情報１４Ｂと電話機別チャネル情報１４Ｃを合成して得られた通信条件を、対応する無線電話機４へ通知して設定する機能とを有している。
【００３３】
［無線電話機］
次に、図２を参照して、本発明の第１の実施の形態にかかる電話システムで用いられる無線電話機について詳細に説明する。図２は、本発明の第１の実施の形態にかかる電話システムで用いられる無線電話機の構成を示すブロック図である。
【００３４】
この無線電話機４は、呼制御機能を持つ親機２と通話機能を持つ子機３とがブルートゥース無線通信方式による無線伝送路を介して接続される電話機であり、親機２が内線伝送路５を介して電話制御装置１と接続されている。
【００３５】
［親機］
親機２には、伝送インターフェース部（以下、伝送Ｉ／Ｆ部という）２０、音声処理部２１、表示部２２、操作入力部２３、記憶部２４、親機制御部２５、および無線モジュール２６が設けられている。
【００３６】
伝送Ｉ／Ｆ部２０は、専用のインターフェース回路部からなり、内線伝送路５を介して電話制御装置１とデータ伝送を行う機能を有している。
音声処理部２１は、専用の音声処理回路とスピーカ（図示せず）およびマイク（図示せず）からなり、親機制御部２５からの指示に応じて伝送Ｉ／Ｆ部２０で受信した音声データを音声信号に復号してスピーカから出力する機能と、マイクから入力された音声信号を音声データに符号化して伝送Ｉ／Ｆ部２０へ出力する機能とを有している。
【００３７】
表示部２２は、ＬＣＤやＬＥＤなどの表示装置からなり、親機制御部２５からの指示に応じて呼制御用の表示や通信条件設定時の項目選択画面を表示する機能を有している。
操作入力部２３は、ダイヤルキーや項目選択用の操作キー、さらには各種スイッチからなり、利用者の操作を検出して親機制御部２５へ出力する機能を有している。
記憶部２４は、メモリなどの記憶装置からなり、親機制御部２５での処理に用いる各種処理情報やプログラムを記憶する機能を有している。
【００３８】
親機制御部２５は、ＣＰＵなどのマイクロプロセッサとその周辺回路を有し、記憶部１４のプログラムを読み込んで実行することにより、上記ハードウェアとプログラムとを協働させ各種機能手段を実現する機能を有している。
主な機能手段としては、呼制御手段２５Ａおよび通信条件指示手段２５Ｂがある。
【００３９】
呼制御手段２５Ａは、伝送Ｉ／Ｆ部２０および内線伝送路５を介して電話制御装置１と各種制御情報をやり取りするとともに、無線モジュール２６を介して子機３と各種制御情報をやり取りすることにより、当該親機２および子機３を制御して通信回線９を用いた外線発着信動作や他の無線電話機４との内線発着信動作を制御する機能を有している。
通信条件指示手段２５Ｂは、電話制御装置１から通知された通信条件を当該無線電話機４の親機２と子機３との間の無線データ通信の通信条件として無線モジュール２６に指定する機能を有している。
【００４０】
無線モジュール２６は、ブルートゥース無線通信方式に準拠した無線インターフェースを提供する機能モジュールであり、各種機能部が親機２を構成する１つの構成要素として一体に実装されている。
無線モジュール２６に設けられている主な機能部としては、無線送受信部２７、モジュール記憶部２８、およびモジュール制御部２９がある。
【００４１】
無線送受信部２７は、ブルートゥース無線通信方式に準拠して無線信号を送受信する回路部であり、子機３との間で無線信号を送受信することにより無線回線６を介したデータ通信を行う機能を有している。この際、無線送受信部２７は、周波数ホッピング・スペクトラム拡散変調方式に基づき２．４ＧＨｚ帯に１ＭＨｚ間隔で設けた７９個または２３個のチャネルをモジュール制御部２９からの指示に基づき周波数ホッピングを繰り返し、その周波数ホッピングで選択したチャネルを用いて子機３と所望のパケットを送受信することによりデータ通信を行う。
【００４２】
モジュール記憶部２８は、メモリなどの記憶装置からなり、モジュール制御部２９での処理動作に用いる各種処理情報を記憶する機能を有している。モジュール記憶部２８で記憶する主な処理情報として、チャネルテーブル２８Ａがある。
チャネルテーブル２８Ａは、周波数ホッピング・スペクトラム拡散変調方式で順次選択する各チャネルの使用可否を管理するための処理情報であり、チャネル番号ごとに当該チャネルの使用可否情報が対応付けて登録されている。
このほか、モジュール記憶部２８には、モジュール制御部２９に読み込まれて実行されることにより各種機能手段を実現するためのプログラムなどを予め格納しておいてもよい。
【００４３】
モジュール制御部２９は、ＣＰＵとその周辺回路からなるハードウェアとこれらＣＰＵあるいは周辺回路に設けたメモリ（図示せず）やモジュール記憶部２８に予め格納されているプログラムとを協働させることにより、ブルートゥース無線通信方式に準拠して無線送受信部２７を制御するための機能手段を実現する。
【００４４】
このモジュール制御部２９で実現される主な機能手段としては、通信制御手段２９Ａがある。
通信制御手段２９Ａは、無線送受信部２７を制御して子機３と親機制御部２５との間のデータ通信を制御する機能と、周波数ホッピング・スペクトラム拡散変調方式に基づき、子機３との間でデータ通信開始時に取り決めたチャネル選択順に基づき各チャネルのうちからいずか１つを順次選択して無線送受信部２７へ指示する機能とを有している。この際、通信制御手段２９Ａは、モジュール記憶部２８のチャネルテーブル２８Ａを参照し、チャネル選択順にしたがって選択される次のチャネルが使用不可の場合、後続する使用可のチャネルまでスキップし、その使用可のチャネルを選択する。
【００４５】
このほか、通信制御手段２９Ａは、データ通信時に周波数ホッピングで選択したチャネルでの子機３とのパケット送受信の通信状況を親機制御部２５へ通知する機能と、親機制御部２５からの指示に応じてモジュール記憶部２８のチャネルテーブル２８Ａについて任意のチャネルの使用可否情報を更新する機能と、親機制御部２５からの指示に応じてモジュール記憶部２８のチャネルテーブル２８Ａを子機３へ通知して更新する機能とを有している。
【００４６】
［子機］
子機３には、音声処理部３１、表示部３２、操作入力部３３、記憶部３４、子機制御部３５、および無線モジュール３６が設けられている。
【００４７】
音声処理部３１は、専用の音声処理回路とスピーカ（図示せず）およびマイク（図示せず）からなり、子機制御部３５からの指示に応じて無線モジュール３６で受信した音声データを音声信号に復号してスピーカから出力する機能と、マイクから入力された音声信号を音声データに符号化して無線モジュール３６へ出力する機能とを有している。
【００４８】
表示部３２は、ＬＣＤやＬＥＤなどの表示装置からなり、子機制御部３５からの指示に応じて呼制御用の表示を行う機能を有している。
操作入力部３３は、ダイヤルキーなどの操作キー、さらには各種スイッチからなり、利用者の操作を検出して子機制御部３５へ出力する機能を有している。
記憶部３４は、メモリなどの記憶装置からなり、子機制御部３５での処理に用いる各種処理情報やプログラムを記憶する機能を有している。
【００４９】
子機制御部３５は、ＣＰＵなどのマイクロプロセッサとその周辺回路を有し、記憶部１４のプログラムを読み込んで実行することにより、上記ハードウェアとプログラムとを協働させて各種機能を実現する。
主な機能としては、無線回線６および無線モジュール３６を介して親機２と各種制御情報をやり取りすることにより当該子機３の動作状態を制御する機能や、操作入力部３３で検出された操作の内容を親機２へ通知する機能を有している。
【００５０】
無線モジュール３６は、ブルートゥース無線通信方式に準拠した無線インターフェースを提供する機能モジュールであり、各種機能部が子機３を構成する１つの構成要素として一体に実装されている。
無線モジュール３６の具体的構成は、親機２の無線モジュール２６と同様であり、ここでの詳細な説明は省略する。
【００５１】
［第１の実施の形態の動作］
次に、図５を参照して、本発明の第１の実施の形態にかかる電話システムの動作について説明する。図５は、本発明の第１の実施の形態にかかる電話システムの動作として通信条件設定動作を示すシーケンス図である。
ここでは、各無線電話機４での無線データ通信に関する通信条件として電話制御装置１に予め設定されているシステム共通チャネル情報１４Ｂと電話機別チャネル情報１４Ｃとを無線電話機４ごとに合成し、得られた通信条件を各無線電話機４へ通知して設定する場合を例として説明する。
【００５２】
電話制御装置１の制御部１５は、再起動時、あるいは設定用電話機や外部装置からシステム共通チャネル情報１４Ｂや電話機別チャネル情報１４Ｃが更新された場合、通信条件通知手段１５Ｃにより、各無線電話機４へ新たな通信条件を通知して設定する。
まず、通信条件通知手段１５Ｃは、チャネル情報未更新の任意の無線電話機４、例えば無線電話機４Ａを選択し（ステップ１００）、記憶部１４からシステム共通チャネル情報１４Ｂと電話機別チャネル情報１４Ｃを読み出して合成し、新たな通信条件を生成する（ステップ１０１）。
【００５３】
図６は、通信条件の生成例である。無線電話機４での無線データ通信に用いるチャネルについて、システム共通チャネル情報１４Ｂと電話機別チャネル情報１４Ｃのいずれか一方で使用不可と設定されている場合、当該チャネルは使用不可とする。図６の例では、システム共通チャネル情報１４Ｂと電話機別チャネル情報１４Ｃの各チャネルについて使用可を「０」とし、使用不可を「１」として、両者の論理和を求め、当該無線電話機４の新たな通信条件１４Ｄを生成している。
【００５４】
電話制御装置１の制御部１５は、通信条件通知手段１５Ｃにより、このようにして無線電話機４Ａの新たな通信条件を生成した後、無線電話機４Ａの新たな通信条件、例えば使用不可チャネルを内線Ｉ／Ｆ部１１から内線伝送路５を介して無線電話機４Ａへ通知する（ステップ１０２）。
【００５５】
無線電話機４Ａを構成する親機２の親機制御部２５は、伝送Ｉ／Ｆ部２０を介して電話制御装置１から設定通知を受信した場合、通信条件指示手段２５Ｂにより、この設定通知に含まれる新たな通信条件の使用不可チャネルを無線モジュール２６へ指定する（ステップ１０３）。
無線モジュール２６のモジュール制御部２９は、通信制御手段２９Ａにより、通信条件指示手段２５Ｂから指定された使用不可チャネルを、モジュール記憶部２８のチャネルテーブル２８Ａに登録する。
【００５６】
また、通信条件指示手段２５Ｂは、子機３へのチャネルテーブルの同期を無線モジュール２６へ指示する。これに応じて、通信制御手段２９Ａは、モジュール記憶部２８のチャネルテーブル２８Ａを読み出して、無線送受信部２７から無線回線６を介して子機３へ通知する。子機３の無線モジュール３６は、親機２の無線モジュール２６から通知されたチャネルテーブル２８Ａの内容に基づき自己のモジュールテーブルを更新する。これにより、親機２および子機３間でモジュールテーブルの内容が同期されて、互いに同じ使用不可チャネルが認識される（ステップ１０４）。
【００５７】
次に、電話制御装置１の制御部１５は、通信条件通知手段１５Ｃにより、チャネル情報未更新の任意の無線電話機４、例えば無線電話機４Ｂを選択し（ステップ１１０）、前述と同様にして記憶部１４からシステム共通チャネル情報１４Ｂと電話機別チャネル情報１４Ｃを読み出して合成し、新たな通信条件を生成する（ステップ１１１）。その後、通信条件通知手段１５Ｃは、無線電話機４Ａの新たな通信条件を内線Ｉ／Ｆ部１１から内線伝送路５を介して無線電話機４Ａへ通知する（ステップ１１２）。
【００５８】
無線電話機４Ｂを構成する親機２の親機制御部２５は、伝送Ｉ／Ｆ部２０を介して電話制御装置１から設定通知を受信した場合、通信条件指示手段２５Ｂにより、この設定通知に含まれる使用不可チャネルを無線モジュール２６へ指定する（ステップ１１３）。
無線モジュール２６のモジュール制御部２９は、通信制御手段２９Ａにより、通信条件指示手段２５Ｂから指定された使用不可チャネルを、モジュール記憶部２８のチャネルテーブル２８Ａに登録する。
【００５９】
また、通信条件指示手段２５Ｂは、子機３へのチャネルテーブルの同期を無線モジュール２６へ指示する。これに応じて、通信制御手段２９Ａは、モジュール記憶部２８のチャネルテーブル２８Ａを読み出して、無線送受信部２７から無線回線６を介して子機３へ通知する。子機３の無線モジュール３６は、親機２の無線モジュール２６から通知されたチャネルテーブル２８Ａの内容に基づき自己のモジュールテーブルを更新する。これにより、親機２および子機３間でモジュールテーブルの内容が同期されて、互いに同じ使用不可チャネルが認識される（ステップ１１４）。
【００６０】
以降、電話制御装置１の制御部１５により、無線電話機４ごとにシステム共通チャネル情報１４Ｂと電話機別チャネル情報１４Ｃから生成した新たな通信条件が当該無線電話機４へ通知されて更新され、すべての無線電話機４の通信条件が更新された後、一連の通信条件設定動作を終了する。
【００６１】
このように、本実施の形態は、無線電話機に、搬送波周波数の異なる複数のチャネルのうちから任意の通信条件に基づき順次選択したチャネルを用いて無線データ通信を行う通信制御手段と、電話制御装置から通知された通信条件を無線データ通信の通信条件として通信制御手段に指定する通信条件指示手段とを設け、電話制御装置で、無線電話機での無線データ通信に用いる各チャネルの使用可否を示すチャネル情報を記憶しておき、通信条件設定手段により、チャネル情報から生成した新たな通信条件を当該無線電話機へ通知して設定するようにした。
【００６２】
これにより、各無線電話機に対してそれぞれの無線データ通信に関する通信条件を電話制御装置から設定することができ、設定された通信条件に基づいて各無線電話機で無線データ通信に用いるチャネルが選択される。
したがって、ＩＳＭバンドを使用する無線ＬＡＮや各種ＩＳＭ機器が電話システムの内線電話機をなすブルートゥース無線電話機と併用される場合でも、ＩＳＭバンドでの無線通信環境を良好に保つことができる。
【００６３】
また、チャネル情報として、すべての無線電話機に対して共通に適用されるシステム共通チャネル情報と、無線電話機ごとに個別に適用される電話機別チャネル情報とを記憶し、任意の無線電話機へ通知する新たな通信条件を生成する際、記憶部のシステム共通チャネル情報と当該無線電話機の電話機別チャネル情報とを合成して新たな通信条件を生成してもよい。これにより、広い範囲の電波干渉と狭い範囲の電波干渉が混在する場合でも、各無線電話機に対して一括かつ柔軟に新たな通信条件を設定できる。
【００６４】
通信条件を生成する際、システム共通チャネル情報と電話機別チャネル情報のうち少なくともいずれか一方で任意のチャネルが使用不可と設定されている場合は当該チャネルを使用不可と判断するようにしたので、使用不可チャネルを無線電話機へ確実に設定できるとともに、システム共通チャネル情報と電話機別チャネル情報との関係を意識することなく、それぞれのチャネル情報を別個に設定でき、チャネル情報を容易に設定できる。
【００６５】
なお、チャネル情報としては、システム共通チャネル情報と電話機別チャネル情報の両方を記憶する場合に限定されるものではない。
例えば、チャネル情報として、すべての無線電話機に対して共通に適用されるシステム共通チャネル情報のみを用いてもよい。これにより、各無線電話機に対して影響を与えるような広い範囲の電波干渉が存在する場合、各無線電話機に対し一括して新たな通信条件を設定できる。
あるいは、チャネル情報として、無線電話機ごとに個別に適用される電話機別チャネル情報のみを用いてもよい。これにより、比較的狭い範囲の電波干渉が点在する場合、各無線電話機に対して柔軟に新たな通信条件を設定できる。
【００６６】
また、電話制御装置１の通信条件通知手段１５Ｃにより、記憶部１４のシステム共通チャネル情報１４Ｂと電話機別チャネル情報１４Ｃを合成する場合、合成後のチャネル情報が電話機別チャネル情報１４Ｃと一致するか判断し、一致する場合は新たな通信条件の通知を行わないようにしてもよい。例えばシステム共通チャネル情報に新たな使用不可チャネルが追加された場合、無線電話機４によってはその新たな使用不可チャネルがすでに使用不可に設定されている場合もある。このように既存の通信条件に変化がない場合には、無駄な通信条件設定動作を省くことができる。
【００６７】
［第２の実施の形態］
次に、図７を参照して、本発明の第２の実施の形態にかかる電話システムについて説明する。図７は、本発明の第２の実施の形態にかかる電話システムで用いられる無線電話機の構成を示すブロック図である。
【００６８】
第１の実施の形態では（図１参照）、電話制御装置１の再起動時、あるいは設定用電話機や外部装置からシステム共通チャネル情報１４Ｂや電話機別チャネル情報１４Ｃが更新された場合に、各無線電話機４に対して新たな通信条件をそれぞれ通知する場合について説明した。本実施の形態では、いずれかの無線電話機４について電話機別チャネル情報１４Ｃが更新された場合に、当該無線電話機４に対してのみ新たな通信条件を設定する場合について説明する。
【００６９】
本実施の形態にかかる電話システムの構成は、第１の実施の形態と比較して、図７に示すように、親機２の親機制御部２５に、チャネル設定要求手段２５Ｃが設けられている。チャネル設定要求手段２５Ｃは、当該無線電話機４の無線データ通信に用いるチャネルの使用可否を電話制御装置１に対して設定要求する機能を有している。
なお、電話制御装置１の構成および無線電話機４のその他の構成については、前述した第１の実施の形態と同様であり、ここでの詳細な説明は省略する。
【００７０】
［第２の実施の形態の動作］
次に、前述した図８を参照して、本発明の第２の実施の形態にかかる電話システムの動作について説明する。図８は、本発明の第２の実施の形態にかかる電話システムの動作として通信条件設定動作を示すシーケンス図である。
ここでは、無線電話機４Ａからの使用不可チャネルの設定要求に応じて、電話制御装置１から無線電話機４Ａに対して新たな通信条件を通知して設定する場合を例として説明する。
【００７１】
親機２の親機制御部２５は、操作入力部２３により利用者のチャネル設定要求操作が検出された場合、チャネル設定要求手段２５Ｃにより、所定の設定画面要求を表示部２２で画面表示し、使用不可とするブルートゥースのチャネル番号を受け付け（ステップ２００）、この使用不可チャネル番号を含む設定要求を、伝送Ｉ／Ｆ部２０から内線伝送路５を介して電話制御装置１へ通知する（ステップ２０１）。
【００７２】
この際、設定画面は、記憶部２４に予め格納しておいてもよく、電話制御装置１から取得してもよい。また、使用不可チャネルを設定する際、ブルートゥースのチャネル番号を直接選択操作させればよい。また、設定画面で無線ＬＡＮのチャネル番号やＩＳＭ機器を選択操作させてもよく、この場合は、変換式や変換テーブルを用いてこれら無線ＬＡＮのチャネル番号やＩＳＭ機器をブルートゥースのチャネル番号へ変換すればよく、この変換については、チャネル設定要求手段２５Ｃで処理してもよく、電話制御装置１のチャネル設定手段１５Ｂで処理してもよい。
【００７３】
電話制御装置１の制御部１５は、内線Ｉ／Ｆ部１１を介して無線電話機４Ａから設定要求を受信した場合、チャネル設定手段１５Ｂにより、その設定要求に含まれる使用不可チャネル番号に基づいて、記憶部１４の電話機別チャネル情報１４Ｃのうち、当該チャネルを使用不可と設定する（ステップ２０２）。
次に、電話制御装置１の制御部１５は、通信条件通知手段１５Ｃにより、記憶部１４からシステム共通チャネル情報１４Ｂと電話機別チャネル情報１４Ｃを読み出して合成し、新たな通信条件を生成する（ステップ１０３）。
【００７４】
その後、通信条件通知手段１５Ｃは、無線電話機４Ａの新たな通信条件、例えば使用不可チャネルを内線Ｉ／Ｆ部１１から内線伝送路５を介して無線電話機４Ａへ通知する（ステップ２０４）。
【００７５】
無線電話機４Ａを構成する親機２の親機制御部２５は、伝送Ｉ／Ｆ部２０を介して電話制御装置１から設定通知を受信した場合、通信条件指示手段２５Ｂにより、この設定通知に含まれる新たな通信条件の使用不可チャネルを無線モジュール２６へ指定する（ステップ２０５）。
無線モジュール２６のモジュール制御部２９は、通信制御手段２９Ａにより、通信条件指示手段２５Ｂから指定された使用不可チャネルを、モジュール記憶部２８のチャネルテーブル２８Ａに登録する。
【００７６】
また、通信条件指示手段２５Ｂは、子機３へのチャネルテーブルの同期を無線モジュール２６へ指示する。これに応じて、通信制御手段２９Ａは、モジュール記憶部２８のチャネルテーブル２８Ａを読み出して、無線送受信部２７から無線回線６を介して子機３へ通知する。子機３の無線モジュール３６は、親機２の無線モジュール２６から通知されたチャネルテーブル２８Ａの内容に基づき自己のモジュールテーブルを更新する。これにより、親機２および子機３間でモジュールテーブルの内容が同期されて、互いに同じ使用不可チャネルが認識される（ステップ２０６）。
【００７７】
このように、本実施の形態は、いずれかの無線電話機４について電話機別チャネル情報１４Ｃが更新された場合に、当該無線電話機４に対してのみ新たな通信条件を設定するようにしたので、比較的狭い範囲の電波干渉が点在する場合、各無線電話機に対して柔軟に新たな通信条件を設定できる。
また、記憶部のシステム共通チャネル情報と当該無線電話機の電話機別チャネル情報とを合成して新たな通信条件を生成するようにしたので、広い範囲の電波干渉と狭い範囲の電波干渉が混在する場合でも、任意の無線電話機に対して個別に新たな通信条件を設定できる。
【００７８】
なお、本実施の形態では、無線電話機４Ａからの設定要求に応じて当該無線電話機４Ａに対して新たな通信条件を設定する場合を例として説明したが、他の設定用電話機や外部装置から任意の無線電話機４に関する通信条件の設定要求があった場合も、前述と同様にして当該無線電話機に対し新たな通信条件を個別に設定できる。
【００７９】
［実施の形態の拡張］
以上の各実施の形態では、無線電話機４において、親機２と子機３とを無線回線を介して接続する際にブルートゥース無線通信方式を用いる場合を例として説明したが、ブルートゥース無線通信方式の用い方についてはこれに限定されるものではなく、例えば内線電話機が他の端末機器とのデータ通信にブルートゥース無線通信方式を用いている場合であっても、この内線電話機を無線電話機４と見なして各実施の形態を前述と同様に実施でき、同様の作用効果が得られる。
【００８０】
また、各実施の形態では、電話制御装置１の通信条件通知手段１５Ｃにより、記憶部１４のシステム共通チャネル情報１４Ｂと電話機別チャネル情報１４Ｃを合成する場合について説明したが、合成する手段については、電話制御装置１の通信条件通知手段１５Ｃに限定されるものではなく、無線電話機４側で合成してもよい。
【００８１】
すなわち、電話制御装置１の通信条件通知手段１５Ｃから、記憶部１４のシステム共通チャネル情報１４Ｂや電話機別チャネル情報１４Ｃを別個に無線電話機４へ通知し、親機２の通信条件指示手段２５Ｂにより、これらシステム共通チャネル情報１４Ｂや電話機別チャネル情報１４Ｃを合成して新たな通信条件を生成し、チャネルテーブル２８Ａを更新するようにしてもよい。これにより、電話制御装置１の通信条件通知手段１５Ｃにおけるチャネル情報の合成処理負担を各無線電話機へ分散することができる。
【００８２】
また、以上の各実施の形態では、無線電話機４を構成する親機２の親機制御部２５に、通信条件指示手段２５Ｂを設けた場合を例として説明したが、これを無線モジュール２６のモジュール制御部２９で実現してもよく、ブルートゥース無線通信方式の周波数ホッピング機能の１つとして無線モジュール内に実装できる。これにより、親機制御部２５での処理を大幅に軽減できるとともに、親機制御部２５で実行するプログラムを簡素化でき、全体として安価な無線通信装置を実現できる。
【図面の簡単な説明】
【００８３】
【図１】本発明の第１の実施の形態にかかる電話システムの構成を示すブロック図である。
【図２】本発明の第１の実施の形態にかかる電話システムで用いられる無線電話機の構成を示すブロック図である。
【図３】システム共通チャネル情報の構成例である。
【図４】電話機別チャネル情報の構成例である。
【図５】本発明の第１の実施の形態にかかる電話システムの動作として通信条件設定動作を示すシーケンス図である。
【図６】通信条件の生成例である。
【図７】本発明の第２の実施の形態にかかる電話システムの構成を示すブロック図である。
【図８】本発明の第２の実施の形態にかかる電話システムの動作として通信条件設定動作を示すシーケンス図である。
【符号の説明】
【００８４】
１…電話制御装置、１０…外線Ｉ／Ｆ部、１１…内線Ｉ／Ｆ部、１２…スイッチ、１４…記憶部、１４Ａ…呼制御情報、１４Ｂ…システム共通チャネル情報、１４Ｃ…電話機別チャネル情報、１５…制御部、１５Ａ…呼制御手段、１５Ｂ…チャネル設定手段、１５Ｃ…通信条件通知手段、２…親機、２０…伝送Ｉ／Ｆ部、２１…音声処理部、２２…表示部、２３…操作入力部、２４…記憶部、２５…親機制御部、２５Ａ…呼制御手段、２５Ｂ…通信条件指示手段、２５Ｃ…チャネル設定要求手段、２６…無線モジュール、２７…無線送受信部、２８…モジュール記憶部、２８Ａ…チャネルテーブル、２９…モジュール制御部、２９Ａ…通信制御手段、３…子機、３１…音声処理部、３２…表示部、３３…操作入力部、３４…記憶部、３５…子機制御部、３６…無線モジュール、４，４Ａ，４Ｂ，４Ｃ…無線電話機、５…内線伝送路、６…無線回線、９…通話回線。
【図１】
2007096444.tif 000003
【図２】
2007096444.tif 000004
【図３】
2007096444.tif 000005
【図４】
2007096444.tif 000006
【図５】
2007096444.tif 000007
【図６】
2007096444.tif 000008
【図７】
2007096444.tif 000009
【図８】
2007096444.tif 000010